(57)【要約】【課題】演出効果の高い斬新な外観を有する観葉植物を提供する。【解決手段】観葉植物１０は、土が球状に固められることにより形成された土玉１１と、その土玉１１に植え込まれた植物体１２とを備えている。観葉植物１０は、その土玉１１が台上に直接載置されることで置かれるようになっている。【選択図】図１
0003197212.tif 000002
【実用新案登録請求の範囲】
【請求項１】
土が所定の形状に固められることにより形成された土玉と、
前記土玉に植え込まれた植物体とを備えることを特徴とする観葉植物。
【請求項２】
前記植物体は、多肉植物であることを特徴とする請求項１に記載の観葉植物。
【請求項３】
前記所定の形状は球形状であることを特徴とする請求項１又は２に記載の観葉植物。
【請求項４】
前記土玉は、その底部に平坦状の載置面を有していることを特徴とする請求項３に記載の観葉植物。
【考案の詳細な説明】
【技術分野】
【０００１】  本考案は、観葉植物に関する。
【背景技術】
【０００２】  従来より、屋内に置かれる観賞用の植物として観葉植物が知られている（例えば特許文献１参照）。観葉植物には、屋内に自然な雰囲気を作り出す効果や、癒やし（リラクゼーション）の効果等があり、インテリアとしても広く用いられている。
【先行技術文献】
【特許文献】
【０００３】
【特許文献１】特開２０１２−２２３１７７号公報
【考案の概要】
【考案が解決しようとする課題】
【０００４】  ところで、観葉植物は、植物体の種類や鉢の種類等を変えることで様々な演出をすることが可能であるが、それらを変えるだけでは得られる演出効果に限りがある。【０００５】  本考案は、上記事情に鑑みてなされたものであり、演出効果の高い斬新な外観を有する観葉植物を提供することを主たる目的とするものである。
【課題を解決するための手段】
【０００６】  手段１は、土が所定の形状に固められることにより形成された土玉と、前記土玉に植え込まれた植物体と、を備えることを特徴とする。【０００７】  手段１によれば、土が所定の形状に固められることにより形成された土玉に植物体が植え込まれているため、鉢内に植物体が植え込まれた従来の観葉植物とは異なり、土をも観賞対象として含めた斬新な外観を有する観葉植物を得ることができる。これにより、観葉植物の演出効果を高めることができる。【０００８】  手段２は、手段１において、前記植物体は、多肉植物であることを特徴とする。【０００９】  手段２によれば、土玉に植え込まれる植物体が乾燥に強い多肉植物とされているため、植物体に与える水の量が少なくて済む。この場合、水遣りによって土玉の形状が崩れてしまう事態が生じにくいため、土玉を有してなる本観葉植物を長持ちさせることができる。【００１０】  手段３は、手段１又は手段２において、前記所定の形状は球形状であることを特徴とする。【００１１】  手段３によれば、土玉が球形状とされているため、比較的容易に土玉を形成することができる。【００１２】  手段４は、手段３において、前記土玉は、その底部に平坦状の載置面を有していることを特徴とする。【００１３】  手段４によれば、土玉の底部に平坦状の載置面が形成されているため、球形状の土玉であっても安定した状態で置くことができる。
【図面の簡単な説明】
【００１４】
【図１】観葉植物を示す斜視図。
【図２】土玉を示す斜視図。
【考案を実施するための形態】
【００１５】  以下に、本考案の一実施形態について図面を参照しながら説明する。図１は、観葉植物を示す斜視図である。図２は、土玉を示す斜視図である。
【００１６】  図１に示すように、観葉植物１０は、土玉１１と、その土玉１１に植え込まれた植物体１２とを備えている。観葉植物１０は、その土玉１１が台上に直接載置されることで置かれるようになっている。
【００１７】  土玉１１は、土が球状に固められることにより形成されている。土玉１１を形成する土は粘着成分（粘着剤）を有する培養土からなり、その培養土には粘着成分の他、ピートモスやゼオライト、バーミキュライト等が含まれている。土玉１１は、上記粘着成分を利用して土が球状に固められることにより形成されている。また、土玉１１は、その直径が３〜２０ｃｍの範囲とされており、詳しくは５〜１５ｃｍの範囲とされている。
【００１８】  図２に示すように、土玉１１は、その底部に平坦状の載置面１４を有している。土玉１１は、その載置面１４を台上に載置した状態で置かれるようになっている。そのため、球形状の土玉１１であっても、安定した状態で台上に置くことが可能となっている。
【００１９】  なお、土玉１１の周囲には、土玉１１の形状を保持するための部材（例えば布や紙、糸等）が一切設けられていない。そのため、土玉１１は、その表面全域が露出した状態にある。この場合、土玉１１による土の風合いを生かした斬新な外観を得ることができる。
【００２０】  植物体１２は、多肉植物からなり、詳しくはハオルチアからなる。植物体１２は、土玉１１に１本だけ植え込まれている。
【００２１】  このように、本観葉植物１０では、植物体１２が乾燥に強い多肉植物からなるため、その水遣りは１０日に１回程度霧吹きにより水を植物体１２に吹きかけるだけでよい。そのため、水を含んだ受け皿に土玉１１を置く必要もなく、土玉１１を直接台上に載せ置くだけでよい。
【００２２】  次に、観葉植物１０の作り方（製造方法）について説明する。
【００２３】  まず、土を球状に固めることで土玉１１を形成する土玉形成工程を行う。この工程ではまず、土玉１１を構成する土に所定量の水を加え、土と水とをよく混ぜ合わせる。これにより、土に粘り気が出てくるため、その粘り気を利用して土を球状に押し固める。この場合、手の平で土を球状に固めてもよいし、また半球状の２つの容器を用いて土を球状に固めてもよい。この工程を行うことで、球状の土玉（以下、土玉１１と区別するため、この土玉に符号Ｘを付す）が形成される。
【００２４】  次に、土玉Ｘに載置面１４を形成する載置面形成工程を行う。この工程では、土玉Ｘの底部の一部をカッタ等を用いて平坦状にカットする。これにより、土玉Ｘの底部に載置面１４が形成される。
【００２５】  次に、土玉Ｘに対して植物体１２を植え付ける植物体植付工程を行う。この工程は、土玉Ｘが水を含んで柔らかくなっている間に行う。例えば、土玉形成工程が終わった後、数時間以内に行う。また、植物体１２を土玉Ｘに植え込む際には、予め土玉Ｘに孔をあけておき、その孔に植物体１２を挿し込んでいくのが望ましい。この場合、植物体１２を孔に挿し込んだ後、その孔に土を埋め込んで孔を塞ぐようにする。
【００２６】  次に、土玉Ｘを乾燥させることにより土玉Ｘを固化させる土玉乾燥工程を行う。この工程では、植物体１２が植え付けられた土玉Ｘを日当たりのよい場所に置き、その状態で土玉Ｘを所定の期間（例えば２週間程度）放置する。これにより、土玉Ｘから水分が抜けて土玉Ｘが固化する（つまり、土玉１１となる）。そして、土玉１１が固化することで、植物体１２が土玉１１に固着し、観葉植物１０が完成する。
【００２７】  以上詳述したように、本観葉植物１０は、土玉１１と、土玉１１に植え付けられた植物体１２とを備えたものであるため、植物体１２に加え土をも観賞対象として含めた斬新な外観の観葉植物を得ることができる。これにより、観葉植物の購買意欲を促すことができる。
【００２８】  また、土玉１１に植え込まれる植物体１２を乾燥に強い多肉植物としたため、植物体１２に与える水の量が少なくて済む。このため、水遣りによって土玉１１の形状が崩れてしまう事態が生じにくく、観葉植物１０を長持ちさせることができる。
【００２９】  また、土玉１１を球形状としたため、比較的容易に土玉１１を形成することができる。
【００３０】  本考案は上記実施形態に限らず、例えば次のように実施されてもよい。
【００３１】  （１）上記実施形態では、植物体１２として、ハオルチアを用いたが、それ以外の多肉植物を用いてもよい。例えば、サボテン、十二の巻、ひすいでん、火祭りの光等を用いることが考えられる。また、植物体１２として、多肉植物以外の植物を用いてもよい。
【００３２】  （２）上記実施形態では、土玉１１の形状を球形状としたが、これを変更して、土玉１１の形状を円柱状や四角柱状等他の形状としてもよい。また、上記実施形態では、土玉１１に載置面１４を設けたが、載置面１４を設けないようにしてもよい。
【００３３】  （３）上記実施形態では、土玉１１に植物体１２を１本だけ植え付けたが、土玉１１に植物体１２を２本以上植え付けてもよい。つまり、土玉１１に複数本の植物体１２を寄せ植えしてもよい。この場合、植物体１２への水遣りのバランス等を考慮して、寄せ植えする各植物体１２の種類を決めるのが望ましい。
【符号の説明】
【００３４】  １０…観葉植物、１１…土玉、１２…植物体、１４…載置面。
【図１】
0003197212.tif 000003
【図２】
0003197212.tif 000004